(57)【要約】【課題】プリンタ本体ユニットに取り付けたオペレーション基板と、プリンタケースに配置したオペレーションパネルの間隔を精度良く設定できるプリンタを提案すること。【解決手段】プリンタ１の上ケース３をプリンタ本体ユニット１０に組み付けると、上ケース３側のオペレーションパネル７のリブ７１の下端面７１ａがプリンタ本体ユニット１０側の基板ホルダ９の前側枠板部分９１の上端面９１ａに強制的に押し付けられた状態が形成され、オペレーションパネル７と、基板ホルダ９に保持されているオペレーション基板８との間隔が精度良く規定される。これらの間隔が広すぎてスイッチボタン操作を確実に行うことができないという弊害、ＬＥＤなどの表示ランプの点滅状態が外側から確認できないという弊害を回避できる。【選択図】図３
2008230013.tif 000002
【特許請求の範囲】
【請求項１】
少なくともボタンスイッチが配置されているオペレーション基板と、
前記ボタンスイッチの操作カバーが形成されているオペレーションパネルと、
前記オペレーション基板を保持している基板ホルダと、
前記基板ホルダが取り付けられているプリンタ本体ユニットと、
前記オペレーションパネルが配置されているプリンタケースと、
前記基板ホルダに形成されているホルダ側当接部と、
前記オペレーションパネルに形成され、前記プリンタケースを前記プリンタ本体ユニットに組み付けると前記ホルダ側当接部に押し付けられた状態になるパネル側当接部とを有し、
前記パネル側当接部と前記ホルダ側当接部の当接により、前記オペレーションパネルと前記基板ホルダに保持されている前記オペレーション基板の間隔が規定されることを特徴とするプリンタ。
【請求項２】
請求項１に記載のプリンタにおいて、
前記基板ホルダは、前記プリンタ本体ユニットに固定されている固定部と、この固定部から片持ち状態で突出している基板保持部とを備え、この基板保持部の先端側の部位に前記ホルダ側当接部が形成されており、前記基板保持部に前記オペレーションパネルが保持されていることを特徴とするプリンタ。
【請求項３】
請求項２に記載のプリンタにおいて、
前記基板保持部は、前記オペレーション基板を保持している基板保持面と、前記オペレーションパネルが当該基板保持面から浮き上がらないように保持している保持爪とを備えており、
前記基板保持面に直交する方向から、前記オペレーション基板を当該基板保持面に押し込むと、当該基板保持面と前記保持爪の間に前記オペレーション基板が挟まれた状態が形成されるようになっていることを特徴とするプリンタ。
【請求項４】
請求項３に記載のプリンタにおいて、
前記基板保持部は、前記基板保持面に保持された前記オペレーション基板に係合して、当該オペレーション基板の基板面方向の位置を規定するための位置決め部を備えていることを特徴とするプリンタ。
【請求項５】
ボタンスイッチが配置されているオペレーション基板と、
前記ボタンスイッチの操作カバーが形成されているオペレーションパネルと、
前記オペレーション基板を、前記オペレーションパネルに接近および離れる方向に移動可能な状態で保持しているプリンタ本体ユニットと、
前記オペレーションパネルが配置されているプリンタケースと、
前記オペレーション基板に形成された基板側当接部と、
前記オペレーションパネルに形成されたパネル側当接部と、
前記オペレーション基板および前記プリンタ本体ユニットの間に配置され、前記プリンタケースを前記プリンタ本体ユニットに組み付けると弾性変形して前記基板側当接部を前記パネル側当接部に付勢した状態になる接地用の導電性板ばねとを有し、
前記パネル側当接部と前記基板側当接部の当接により、前記オペレーションパネルと前記オペレーション基板の間隔が規定されることを特徴とするプリンタ。
【請求項６】
請求項５に記載のプリンタにおいて、
前記基板側当接部は、前記オペレーション基板の基板表面部分であり、
前記パネル側当接部は、前記オペレーションパネルから前記オペレーション基板の側に突出している複数のリブであることを特徴とするプリンタ。
【請求項７】
請求項６に記載のプリンタにおいて、
前記プリンタ本体ユニットに取り付けた基板ホルダを有し、
当該基板ホルダによって、前記オペレーション基板が前記オペレーションパネルに接近および離れる方向に移動可能な状態で保持されていることを特徴とするプリンタ。
【請求項８】
請求項７に記載のプリンタにおいて、
前記基板ホルダは、当該基板ホルダに保持された前記オペレーション基板に係合して、当該オペレーション基板の基板面方向の位置を規定するための位置決め部を備えていることを特徴とするプリンタ。
【発明の詳細な説明】
【技術分野】
【０００１】
本発明は、ボタンスイッチ操作部、ＬＥＤ表示部などが配列されたオペレーションパネルがプリンタケースに配置されているプリンタに関し、オペレーションパネルが形成されているプリンタケースの部分が複雑な構造とならず、オペレーションパネルとその裏面に取り付けたオペレーション基板の位置決めを正確に行うことができ、しかも、組み付け作業が簡単なプリンタに関するものである。
【背景技術】
【０００２】
プリンタには、各種の設定、各種の状態表示を行うために、プリンタケースの一部にオペレーションパネルが配置されたものが知られている。オペレーションパネルの裏面側には、ボタンスイッチおよびＬＥＤが配列されたオペレーション基板が取り付けられており、これらボタンスイッチに対応するオペレーションパネルの部位には可撓性のスイッチ操作部が形成され、ＬＥＤに対応するオペレーションパネルの部位には透明な表示窓が形成されている。特許文献１、２、３には、このようなオペレーションパネルを備えたプリンタが開示されている。
【０００３】
従来においては、オペレーションパネルが配置されているプリンタケースにオペレーション基板の取付部を一体形成し、プリンタケースにオペレーション基板を取り付けた後に、プリンタケースをプリンタ本体ユニットに組み付けるようにしている。あるいは、オペレーションパネルにオペレーション基板が組み付けられたオペレーションユニットをプリンタケースに取り付けた後に、プリンタケースをプリンタ本体ユニットに組み付けるようにしている。
【０００４】
この場合には、プリンタケースにオペレーションパネルおよびオペレーション基板の取付部を一体形成し、あるいは、オペレーションユニットの取付部を一体形成する必要があり、プリンタケースが複雑な構造となり、当該プリンタケースの成形金型が複雑化しコスト高になるという問題がある。また、プリンタケースに取り付けたオペレーション基板から引き出されている配線を、プリンタケースをプリンタ本体ユニットに組み付ける際にプリンタ本体ユニット側のメイン基板に接続する接続作業が必要である。したがって、組み付け作業の作業性が悪く、また、オペレーション基板から引き出されている配線を長くしておく必要がある。
【０００５】
そこで、特許文献３に開示されているように、オペレーション基板をプリンタ本体ユニットの側に取り付けておくことが考えられる。このようにすれば、プリンタケースの側の形状をシンプルにすることができ、金型コストも低減できる。また、プリンタケースの組付け時にオペレーション基板の配線を行う必要がないので、組み付け作業が容易となり、オペレーション基板から引き出されている配線も短くて済む。
【特許文献１】特開平１１−２６８３７６号公報
【特許文献２】特開２００３−２６６８６２号公報
【特許文献３】特開平０７−６８８９９号公報
【発明の開示】
【発明が解決しようとする課題】
【０００６】
しかしながら、オペレーション基板をプリンタ本体ユニットの側に取り付ける場合には、プリンタケースの組み付け誤差、部品誤差などに起因して、オペレーションパネルとオペレーション基板を正確に位置決めすることができず、それらの間隔が広すぎる状態、あるいは狭すぎる状態になることがある。
【０００７】
例えば、これらの間隔が広すぎると、オペレーションパネルのスイッチ操作部を押しても裏面側のオペレーション基板のボタンスイッチを確実に押すことができない等の問題が発生する。また、オペレーションパネルの表示窓からＬＥＤの点滅状態を目視することが困難になる等の問題が発生する。
【０００８】
本発明の課題は、このような点に鑑みて、プリンタ本体ユニットに取り付けたオペレーション基板に対して、プリンタケースに配置したオペレーションパネルを適正な間隔で正確に位置決めできるようにしたプリンタを提案することにある。
【課題を解決するための手段】
【０００９】
上記の課題を解決するために、本発明のプリンタは、
少なくともボタンスイッチが配置されているオペレーション基板と、
前記ボタンスイッチの操作カバーが形成されているオペレーションパネルと、
前記オペレーション基板を保持している基板ホルダと、
前記基板ホルダが取り付けられているプリンタ本体ユニットと、
前記オペレーションパネルが配置されているプリンタケースと、
前記基板ホルダに形成されているホルダ側当接部と、
前記オペレーションパネルに形成され、前記プリンタケースを前記プリンタ本体ユニットに組み付けると前記ホルダ側当接部に押し付けられた状態になるパネル側当接部とを有し、
前記パネル側当接部と前記ホルダ側当接部の当接により、前記オペレーションパネルと前記基板ホルダに保持されている前記オペレーション基板の間隔が規定されることを特徴としている。
【００１０】
本発明のプリンタでは、プリンタケースをプリンタ本体ユニットに組み付けると、プリンタケースの側に配置されているオペレーションパネルのパネル側当接部が、プリンタ本体ユニットに取り付けられている基板ホルダのホルダ側当接部に押し付けられた状態になる。オペレーションパネルのパネル側当接部によって基板ホルダが強制的に押し付けられるので、オペレーションパネルに予めオペレーション基板を取り付けておいた場合と同様な状態が形成される。よって、プリンタケース側のオペレーションパネルとプリンタ本体ユニット側のオペレーション基板の間隔を精度良く規定できる。
【００１１】
ここで、前記基板ホルダを、前記プリンタ本体ユニットに固定されている固定部と、この固定部から片持ち状態で突出している基板保持部とを備えた構成とし、この基板保持部の先端側の部位に前記ホルダ側当接部を形成し、前記基板保持部に前記オペレーションパネルを保持することができる。片持ち状態で張り出している基板保持部が容易に変位することにより、パネル側当接部とホルダ側当接部が過剰な押圧力で押し付けられた状態に陥ることを回避できる。
【００１２】
また、前記基板保持部に、前記オペレーション基板を保持している基板保持面と、前記オペレーションパネルが当該基板保持面から浮き上がらないように保持している保持爪とを配置し、前記基板保持面に直交する方向から、前記オペレーション基板を当該基板保持面に押し込むと、当該基板保持面と前記保持爪の間に前記オペレーション基板が挟まれた状態が形成されるようにすれば、オペレーション基板を簡単な操作により基板ホルダに取り付けることができる。
【００１３】
さらに、前記基板保持部に、前記基板保持面に保持された前記オペレーション基板に係合して、当該オペレーション基板の基板面方向の位置を規定するための位置決め部を設けておくことが望ましい。
【００１４】
次に、オペレーション基板に接続されている接地用の導電性板ばねのばね力を利用して、オペレーションパネルとオペレーション基板の間隔を精度良く規定するようにしてもよい。この場合の本発明によるプリンタは、
少なくともボタンスイッチが配置されているオペレーション基板と、
前記ボタンスイッチの操作カバーが形成されているオペレーションパネルと、
前記オペレーション基板を、前記オペレーションパネルに接近および離れる方向に移動可能な状態で保持しているプリンタ本体ユニットと、
前記オペレーションパネルが配置されているプリンタケースと、
前記オペレーション基板に形成された基板側当接部と、
前記オペレーションパネルに形成されたパネル側当接部と、
前記オペレーション基板および前記プリンタ本体ユニットの間に配置され、前記プリンタケースを前記プリンタ本体ユニットに組み付けると弾性変形して前記基板側当接部を前記パネル側当接部に付勢した状態になる接地用の導電性板ばねとを有し、
前記パネル側当接部と前記基板側当接部の当接により、前記オペレーションパネルと前記オペレーション基板の間隔が規定されることを特徴としている。
【００１５】
この構成によれば、導電性板ばねのばね力によって、オペレーション基板がプリンタケース側のオペレーションパネルに押し付けられた状態が形成される。したがって、プリンタケースの組み付け誤差などに影響されることなく、オペレーションパネルとオペレーション基板の間隔を精度良く規定することができる。
【００１６】
ここで、前記基板側当接部を前記オペレーション基板の基板表面部分とし、前記パネル側当接部を、前記オペレーションパネルから前記オペレーション基板の側に突出している複数のリブとすることができる。
【００１７】
また、前記プリンタ本体ユニットに基板ホルダを取り付け、当該基板ホルダによって、前記オペレーション基板を前記オペレーションパネルに接近および離れる方向に移動可能な状態で保持してもよい。
【００１８】
この場合には、前記基板ホルダに、当該基板ホルダに保持された前記オペレーション基板に係合して、当該オペレーション基板の基板面方向の位置を規定するための位置決め部を設けておくことが望ましい。
【発明の効果】
【００１９】
本発明のプリンタにおいては、プリンタケースの側にオペレーションパネルを配置し、プリンタ本体ユニットの側にオペレーション基板を配置してあり、プリンタケースをプリンタ本体ユニットに組み付けると、プリンタケース側のオペレーションパネルがプリンタ本体ユニット側の基板ホルダとが強制的に押し付けられた状態が形成され、オペレーションパネルと、基板ホルダに保持されているオペレーション基板との間隔が精度良く規定される。したがって、これらの間隔が広すぎてスイッチボタン操作を確実に行うことができないという弊害、ＬＥＤなどの表示ランプの点滅状態が外側から確認できないという弊害を回避できる。また、これらの間隔が狭すぎて、オペレーション基板側のボタンスイッチ、表示ランプにオペレーションパネルの側の部位が当った状態になるという弊害を回避できる。
【００２０】
同様に、接地用の導電性板ばねのばね力を利用してオペレーション基板をオペレーションパネルに押し付けるようにした場合においても、これらの間隔が精度良く規定されるので、これらの間隔の広狭に起因する弊害を確実に回避できる。
【発明を実施するための最良の形態】
【００２１】
以下に、図面を参照して、本発明を適用したプリンタの実施の形態を説明する。
【００２２】
図１は本実施の形態に係るプリンタを示す外観斜視図である。本実施の形態に係るプリンタ１は、例えば単票紙、連続紙などの記録紙にドットインパクトヘッドを用いて印字を行うインパクトプリンタである。プリンタ１のプリンタケース２は、上ケース３と下ケース４から構成されており、プリンタケース２の前面には、記録紙をプリンタ１の前側からプリンタ内部に向けて水平に案内するための水平用紙ガイド５が取り付けられている。水平用紙ガイド５の上側には透明な円弧状の開閉カバー６が取り付けられている。これらプリンタケース２、水平用紙ガイド５および開閉カバー６はプラスチック成形品である。
【００２３】
上ケース３の前面において前側に傾斜している円弧状の上端部分の右側部位には、横長の長方形のオペレーションパネル７が配置されている。オペレーションパネル７は上ケース３に一体成形されているが、別部材として成形して上ケース３に取り付けても良い。
【００２４】
図２は、上ケース３を取り外した状態のプリンタ１を示す分解斜視図であり、この図においては水平用紙ガイド５および開閉カバー６を省略してある。プリンタケース２によって覆われているプリンタ本体ユニット１０は、例えば、板金製の装置フレーム１１と、装置フレーム１１の左右の側板部分１２、１３の間に水平に掛け渡したキャリッジガイド１４と、このキャリッジガイド１４に沿って左右に往復移動するヘッドキャリッジ１５を備えており、ヘッドキャリッジ１５には下向き状態でドットインパクトヘッド１６が搭載されている。例えば、水平用紙ガイド５によって前方から送り込まれ記録紙は搬送ローラ１７によってドットインパクトヘッド１６の印字位置を経由する水平な経路に沿って後方に送り込まれながら印字が行われる。印字後は再び前方に送り出されて、再び水平用紙ガイド５に沿って前方に排出される。また、連続紙は、プリンタ１の後側からドットインパクトヘッド１６の印字位置に送り込まれ、順次に前方に送り出されて水平用紙ガイド５に沿って前方に排出される。
【００２５】
図３はオペレーションパネル７が形成されている部分を示す部分拡大断面図である。図１ないし図３を参照して説明すると、上ケース３のオペレーションパネル７の裏面には一定の間隔でオペレーション基板８が対峙している。オペレーション基板８は、プラスチック成形品である基板ホルダ９に取り付けられている。基板ホルダ９はプリンタ本体ユニット１０の装置フレーム１１に取り付けられている。
【００２６】
オペレーション基板８には、各種の設定を行うためのボタンスイッチ、例えば４個のボタンスイッチ２１〜２４と、各種の状態を表示するための複数のＬＥＤ、例えば６個のＬＥＤ２５〜３０が搭載されている。オペレーションパネル７には、ボタンスイッチ２１〜２４に対峙する部位に外側に突出している可撓性のスイッチ操作部３１〜３４と、ＬＥＤ２５〜３０に対峙する部位に透明な表示窓３５〜４０が形成されている。また、オペレーション基板８には配線用のフレキシブルフラットケーブル１８の一端が接続されている。フレキシブルフラットケーブル１８の他方の端は装置フレーム１１の側に搭載されているメイン基板１９の側に接続されている。
【００２７】
ここで、図３から分かるように、上ケース３をプリンタ本体ユニット１０に組み付けた状態においては、上ケース３の側のオペレーションパネル７に形成した間隔規定用のリブ７１（パネル側当接部）が、プリンタ本体ユニット１０の側に取り付けられている基板ホルダ９に形成した間隔規定用の前側枠板部分９１（ホルダ側当接部）に押し付けられた状態となっている。これらリブ７１および前側枠板部分９１が当接することによって、オペレーションパネル７とオペレーション基板８の間隔が精度良く規定されている。
【００２８】
図３〜図６を参照して、オペレーションパネル７、オペレーション基板８および基板ホルダ９の構造を詳細に説明する。
【００２９】
図４（ａ）は上ケース３を裏面側から見た場合の斜視図であり、図４（ｂ）は当該上ケース３の裏面におけるオペレーションパネル７が形成されている部分を示す拡大部分斜視図である。図３および図４を参照して説明すると、オペレーションパネル７は、上ケース３に一体成形した横長の長方形の平板状のものであり、その平坦な裏面７０には、４個のスイッチ操作部用の円形凹部３１ａ〜３４ａと、６個のＬＥＤ表示窓用の円形凹部３５ａ〜４０ａが形成されている。また、その前側の長辺縁に沿って一定の間隔で、複数枚、本例では５枚の三角形状をした一定厚さのリブ７１が垂直に起立している。また、後側の一方の角部分の近傍位置には台形形状をした一定厚さのリブ７２が形成されている。
【００３０】
図５はプリンタ本体ユニット１０の側に搭載されている基板ホルダ９およびオペレーション基板８を示す斜視図であり、図６はこれらを取り外した状態を示す分解斜視図である。図３、図５および図６を参照して説明すると、オペレーション基板８は横長の長方形をした一定厚さの基板であり、その表面８０には、先に述べたように、４個のボタンスイッチ２１〜２４と、６個のＬＥＤ２５〜３０が搭載されている。また、オペレーション基板８にはコネクタ８１が搭載されており、ここから後方に向けて配線用のフレキシブルフラットケーブル１８が引き出されている。コネクタ８１の側方の部位には、左右一対の差込穴８２が形成されており、ここに、基板接地用の導電性板ばね８３（図５参照）が差し込み固定されている。さらに、オペレーション基板８の前側の長辺縁には、後方に切り込むことにより形成した基板ガイド溝８４が形成されており、これにより、オペレーション基板８の前後の向きを認識可能である。
【００３１】
一方、基板ホルダ９は、装置フレーム１１の側に固定された固定部９Ａと、この固定部９Ａの前面から前方に片持ち状態で張り出している基板保持部９Ｂとを備えている。基板保持部９Ｂは、底板部分９０と、この底板部分９０の前縁および左右の側縁から起立している前側枠板部分９１、左側枠板部分９２および右側枠板部分９３とを備えている。オペレーション基板８は、これら前側枠板部分９２、左側枠板部分９３および右側枠板部分９４によって囲まれる部位に上側から装着されている。基板ホルダ９の底板部分９０には複数の箇所に基板保持用突起９５ないし１０２が形成されており、これら上端に形成した基板保持面９５ａ〜１０２ａによって、オペレーション基板８はオペレーションパネル７に平行な姿勢となるように保持されている。
【００３２】
基板保持用突起９９〜１０２の基板保持面９９ａ〜１０２ａの後端に連続して上方に傾斜した傾斜面９９ｂ〜１０２ｂが形成されている。これらの傾斜面９９ｂ〜１０２ｂと、前側枠板部分９１によって、オペレーション基板８の短辺方向の位置が規定されている。また、左側枠板部分９２および右側枠板部分９３によってオペレーション基板８の長辺方向の位置が規定されている。
【００３３】
さらに、前側枠板部分９１には３箇所に保持爪１０４〜１０６が形成され、底板部分９０から起立している左右の起立板１０７、１０８の上端部分にも保持爪１０７ａ、１０８ａが形成されている。上側から基板保持面９５ａ〜１０２ａに載せたオペレーション基板８は、これらの前後の保持爪１０４〜１０６、１０７ａおよび１０８ａによって、当該基板保持面９５ａ〜１０２ａから浮き上がらないように保持されている。オペレーション基板８を基板ホルダ９に取り付ける場合には、オペレーション基板８を基板保持面９５ａ〜１０２ａの上方から当該基板保持面９５ａ〜１０２ａに押し込めばよい。この押し込み動作によって、後側の保持爪１０７ａ、１０８ａが一時的に後方に押されて、オペレーション基板８の前後の縁が保持爪１０４〜１０６、１０７ａ、１０８ａの下側に装着される。これにより、オペレーション基板８が基板保持面９５ａ〜１０２ａに保持された状態が形成される。
【００３４】
ここで、上ケース３に形成したオペレーションパネル７と、プリンタ本体ユニット１０の側のオペレーション基板８との間隔は、オペレーションパネル７のリブ７１が基板ホルダ９の前側枠板部分９１に押し付けられることにより規定されている。すなわち、図３を参照して説明すると、プリンタ本体ユニット１０に上ケース３を組み付けると、リブ７１の下端面７１ａが基板ホルダ９の前側枠板部分９１の上端面９１ａに上側から押し付けられた状態が必ず形成されるように、リブ７１の突出量および前側枠板部分９１の突出量が設定されている。
【００３５】
この結果、上ケース３をプリンタ本体ユニット１０に組み付けると、リブ７１が所定の押圧力で前側枠板部分９１に押し付けられた状態が形成され、オペレーションパネル７と基板ホルダ９の間隔が、これらリブ７１および前側枠板部分９１によって規定される。よって、基板ホルダ９に保持されているオペレーション基板８とオペレーションパネル７の間隔が規定される。換言すると、オペレーションパネル７が形成されている上ケース３の裏面部分に予め、オペレーション基板８が保持された基板ホルダ９を取り付けた場合と同様な精度で、オペレーションパネル７とオペレーション基板８の間隔を規定できる。
【００３６】
また、前側枠板部分９１は基板ホルダ９における片持ち状態で前方に張り出している基板保持部９Ｂの前端部に形成されている。したがって、前側枠板部分９１とリブ７１の間の押圧力が過剰となる場合には、当該片持ち状態の基板保持部９Ｂの前端側の部位が容易に下側に変位して、これらの間の押圧力が所定値以下に抑制される。よって、オペレーションパネル７の部分、あるいは、基板ホルダ９の部分に過剰な力が加わった状態になることを回避できる。
【００３７】
以上説明したように、本実施の形態に係るプリンタ１においては、上ケース３をプリンタ本体ユニット１０に組み付けると、上ケース３の側のオペレーションパネル７のリブ７１が、プリンタ本体ユニット１０の側の基板ホルダ９の前側枠板部分９１に押し付けられた状態が形成される。リブ７１および前側枠板部分９１が所定の押圧力で当接することにより、オペレーションパネル７と基板ホルダ９の間隔、したがって、オペレーションパネル７とオペレーション基板８の間隔が精度良く規定される。よって、これらの間隔の広狭に起因する弊害を回避できる。
【００３８】
また、オペレーション基板８がプリンタ本体ユニット１０の側に搭載されているので、上ケース３の側にオペレーション基板８を取り付けるための取付部を形成しておく必要がない。よって、上ケース３のオペレーションパネル形成部分の構造をシンプルにすることができ、成形金型のコスト低減化に有利である。
【００３９】
また、オペレーションパネル７が形成されている上ケース３をプリンタ本体ユニット１０に組み付ける際には、オペレーション基板８から引き出されているフレキシブルフラットケーブル１８をプリンタ本体ユニット１０の側のメイン基板１９に接続する配線作業が不要である。よって、上ケース３の組み付け作業の作業性を改善でき、フレキシブルフラットケーブル１８の長さも短くて済む。
【００４０】
（間隔を規定するための別の構成）
ここで、オペレーションパネル７とオペレーション基板８の間隔を、オペレーション基板８と装置フレーム１１の間に配置されている接地用の導電性板ばね８３のばね力を利用して規定することができる。
【００４１】
図７〜図９はこの場合の実施の形態を示す図であり、図７（ａ）は上ケースを裏面側から示す斜視図であり、図７（ｂ）は上ケースの裏面におけるオペレーションパネルが形成されている部位を示す拡大部分斜視図である。図８は上ケースを組み付ける前のオペレーション基板および基板ホルダを示す部分断面図であり、図９は上ケースを組み付けた後のオペレーションパネル、オペレーション基板および基板ホルダを示す部分断面図である。
【００４２】
本実施の形態では、図７に示すように、オペレーションパネル７Ａの裏面には、リブ７１と共に、オペレーション基板８の表面を押し付けるための基板押圧用リブ７３が形成されている。基板押圧力用リブ７３は、例えば、オペレーションパネル７Ａの裏面７０における長辺方向の両側部分、中央部分にそれぞれ２枚ずつ形成されている。これ以外の構成は上記のオペレーションパネル７と同一である。
【００４３】
プリンタ本体ユニット１０に搭載されている基板ホルダ９Ａも上記の基板ホルダ９と同様な構造であるが、オペレーション基板８Ａを基板保持面９５ａ〜１０２ａから浮き上がらないように保持するための保持爪９９ｂ〜１０２ｂおよび保持爪１０４〜１０６が備わっていない点のみが相違している。オペレーション基板８Ａは上記のオペレーション基板８と同一構造である。
【００４４】
ここで、接地用の導電性板ばね８３は、図８に示すように、オペレーション基板８の表面に沿って延びている上端部分８３ａと、この上端部分８３ａの後端から直角に下方に折れ曲がって延びている傾斜部分８３ｂと、この傾斜部分８３ｂの下端から垂直に下方に延びている垂直部分８３ｃと、この垂直部分８３ｃの下端から後方に折れ曲がって延びている下端部分８３ｄとを備えた形状をしている。この形状の導電性板ばね８３の上端部分８３ａはオペレーション基板８の表面に固定され、そこに形成されている接地用端子（図示せず）に電気的に接続されている。導電性板ばね８３の下端部分８３ｄは、装置フレーム１１における水平板部分１１ａの上面にスライド可能な状態で支持され、ここに電気的に接続されている。
【００４５】
上ケース３をプリンタ本体ユニット１０に組み付ける前のオペレーション基板８Ａは、図８に示すように、導電性板ばね８３によって、基板ホルダ９Ａの基板保持面９５ａ〜１０２ａから僅かに浮き上がっている。
【００４６】
上ケース３をプリンタ本体ユニット１０に組み付けると、図９に示すように、上ケース３のオペレーションパネル７Ａのリブ７３の下端面７３ａがオペレーション基板８Ａの表面部分８０に当たり、オペレーション基板８Ａを下方に押しこむ。この結果、導電性板ばね８３が全体として撓み、その弾性復帰力によって、オペレーション基板８Ａがオペレーションパネル７Ａのリブ７３Ａに確実に押し付けられた状態が形成される。
【００４７】
よって、オペレーションパネル７Ａとオペレーション基板８Ａの間隔が、リブ７３と基板表面部分８０との当接によって規定される。この場合においても、上記のオペレーションパネル７のリブ７１と基板ホルダ９の前側枠板部分９１の当接による場合と同様に、精度良く、オペレーションパネル７Ａとオペレーション基板８Ａの間隔を規定することができる。
【図面の簡単な説明】
【００４８】
【図１】本発明を適用したプリンタの外観斜視図である。
【図２】上ケースを組み付ける前の状態を示す分解斜視図である。
【図３】オペレーションパネルが形成されている部位の部分拡大断面図である。
【図４】上ケースの裏面を示す斜視図およびオペレーションパネルを示す部分拡大斜視図である。
【図５】プリンタ本体ユニット側のオペレーション基板および基板ホルダの斜視図である。
【図６】オペレーション基板および基板ホルダの分解斜視図である。
【図７】別の実施の形態に係る上ケースの裏面を示す斜視図およびオペレーションパネルの部分拡大斜視図である。
【図８】上ケースを組み付ける前のオペレーション基板の状態を示す部分拡大断面図である。
【図９】上ケースを組み付けた後の状態を示す部分拡大断面図である。
【符号の説明】
【００４９】
１  プリンタ、２  プリンタケース、３  上ケース、４  下ケース、５  水平用紙ガイド、６  開閉カバー、７，７Ａ  オペレーションパネル、８，８Ａ  オペレーション基板、９，９Ａ  基板ホルダ、１０  プリンタ本体ユニット、１１  装置フレーム、１１ａ  水平板部分、１２，１３  側板部分、１４  キャリッジガイド、１５  ヘッドキャリッジ、１６  ドットインパクトヘッド、１７  搬送ローラ、１８  フレキシブルフラットケーブル、１９  メイン基板、２１〜２４  ボタンスイッチ、２５〜３０  ＬＥＤ、３１〜３４  スイッチ操作部、３５〜４０  表示窓、７０  裏面、７１  リブ、７１ａ  下端面、８０  表面、８１  コネクタ、８２  差込穴、８３  導電性板ばね、８４  基板ガイド溝、９０  底板部分、９１  前側枠板部分、９２  左側枠板部分、９３  右側枠板部分、９５ａ〜１０２ａ  基板保持面
【図１】
2008230013.tif 000003
【図２】
2008230013.tif 000004
【図３】
2008230013.tif 000005
【図４】
2008230013.tif 000006
【図５】
2008230013.tif 000007
【図６】
2008230013.tif 000008
【図７】
2008230013.tif 000009
【図８】
2008230013.tif 000010
【図９】
2008230013.tif 000011